(57)【特許請求の範囲】
【請求項１】
横架材の端部に楔部を備え、前記楔部は、上下方向に形成された挿通部を有する楔部本体と、前記挿通部に挿入されて下動した際に前記楔部本体が内嵌した外部部材及び前記楔部本体の両者に対してともに当接係止するロック状態となり、ロック状態から上動した際に、前記楔部本体をアンロック状態とする抜け止め体とを備える足場部材であって、
前記抜け止め体は、前記横架材の端部の相対部位には段差部を有していて、前記段差部と前記横架材の端部間には、前記抜け止め体を前記挿通部の前記横架材側面へ常時付勢するバネ部材が配置されるとともに、前記バネ部材を前記端部に支持するバネ支持部材が配置され、前記バネ支持部材は、前記抜け止め体に摺接するとともに前記抜け止め体のロック状態からアンロック状態への遷移時に、前記段差部の段差に当接する摺接部を有しており、
前記バネ支持部材は、前記横架材の端面に形成された支持部に対して、揺動自在に貫通されたバネ支持杆であり、
前記バネ支持杆の頭部に前記摺接部が形成されている足場部材。
【請求項２】
前記バネ部材は前記バネ支持杆に巻装されたコイルバネ、円錐バネ、板バネ、または皿バネである請求項１に記載の足場部材。
【請求項３】
前記抜け止め体は、その上下の部位に前記楔部本体の前記挿通部の反横架材側の面に対して、ロック状態のときに当接する第１当接部及び第３当接部を備え、横架材側の中間部位に前記外部部材に当接する第２当接部を備える請求項１または請求項２に記載の足場部材。
【請求項４】
横架材の端部に楔部を備え、前記楔部は、上下方向に形成された挿通部を有する楔部本体と、前記挿通部に挿入されて下動した際に前記楔部本体が内嵌した外部部材及び前記楔部本体の両者に対してともに当接係止するロック状態となり、ロック状態から上動した際に、前記楔部本体をアンロック状態とする抜け止め体とを備える足場部材と、前記足場部材が、外周面に前記外部部材としての横断面コ字状のブラケット体が設けられた足場支柱に連結されている足場部材の連結構造であって、前記抜け止め体は、前記横架材の端部の相対部位には段差部を有していて、前記段差部と前記横架材の端部間には、前記抜け止め体を前記挿通部の前記横架材側面へ常時付勢するバネ部材が配置されるとともに、前記バネ部材を前記端部に支持するバネ支持部材が配置され、前記バネ支持部材は、前記抜け止め体に摺接するとともに前記抜け止め体のロック状態からアンロック状態への遷移時に、前記段差部の段差に当接する摺接部を有しており、前記バネ支持部材は、前記横架材の端面に形成された支持部に対して、揺動自在に貫通されたバネ支持杆であり、前記バネ支持杆の頭部に前記摺接部が形成されている足場部材の連結構造。
【発明の詳細な説明】
【技術分野】
【０００１】
本発明は、足場部材及び足場部材の連結構造に関する。
【背景技術】
【０００２】
従来、住宅やビル等の建物、橋梁やトンネル等の土木構造物の建築現場では、踏み板を架設するための横架材や、手摺り等として使用される横架材が、足場支柱に連結されて足場が構築されている。このように横架材を足場支柱に連結するために、従前より、横架材の端部に楔が固着された足場部材が多用されている。
【０００３】
この楔が、足場支柱の外周面に設けられたブラケットに挿入されることにより、横架材が足場支柱に連結される。この足場部材は構造がシンプルで製造しやすく広く使用されているが、下方から加わる外力によって、楔がブラケットから抜け出しやすいという問題がある。
【０００４】
この問題を解決するために、特許文献１では、横架材の両端部に、楔部本体と該楔部本体の挿通部に挿入される抜け止め体とを有した楔部を備えた足場部材が提案されている。前記楔部本体は、上下方向に延びる挿通部を有している。挿通部は、該楔部本体の外側面の下端において、内方へ斜状に形成された閉端部が形成されている。
【０００５】
前記抜け止め体は、上端に楔部本体の挿通部に通過不能な突起部が形成され、前記楔部本体の外側の楔中間面部に対向する外側面には前記上端よりも突出した第１当接部が形成され、さらに前記外側面と反対側の内側面の下端よりも上方の部位には該下端よりも突出した第２当接部が形成されている。そして、前記抜け止め体において、前記突起部から下端までの上下長さが、前記挿通部の上部周縁から、前記閉端部までの長さよりも長くされている。
【０００６】
この構成より、楔部本体が、足場支柱の断面コ字状のブラケット内に楔部本体が挿入されて、抜け止め体が挿通部に挿通された際、該抜け止め体は、楔部本体の外側面側に対してその上部及び第１当接部が、当接され、かつ、第２当接部がブラケットの内面に当接される。このことにより、抜け止め体及び楔部本体が、がたつくことがなく、ブラケットに対して安定して保持できるようにされている。
【０００７】
また、図７、図８に示すように特許文献２では、横架材１０１の端部に設けられたインサート金具１０４の挿通部１０５内に挿入されたクサビ１００が設けられている。クサビ１００は、前記抜け止め体に相当する。そして、クサビ１００の上部を後方、すなわち、横架材１０１側へ向かって付勢する付勢部材１０２が設けられている。
【０００８】
そして、付勢部材１０２の付勢力によって、クサビ１００の上下方向の中間部が横架材１０１側の端面に押圧するとともに、クサビ１００の下部側を足場支柱１２０の外周面に設けられたブラケット１２１の内面１２２に押し付けしてロックが可能にされている。このようにして、ロック状態では、インサート金具１０４は前記ブラケットに対して安定した保持が可能になっている。
【先行技術文献】
【特許文献】
【０００９】
【特許文献１】特開２０１７−６６３８１号公報
【特許文献２】特許第６２７１０７３号公報
【発明の概要】
【発明が解決しようとする課題】
【００１０】
ところで、特許文献２では、前記抜け止め体に相当するクサビ１００をロック状態とアンロック状態間を遷移する場合、クサビ１００を前記楔部本体に相当するインサート金具１０４の挿通部１０５内を上下に移動させることになる。クサビ１００の上部外側面には浅い溝状の切欠部１０６が形成されており、クサビ１００がアンロック時には、前記付勢部材１０２のクサビ側の当接部位はこの切欠部内に位置し、ロック時には、クサビ１００の下動により、切欠部１０６から離脱してその上方の部位に相対的に移動するようにされている。
【００１１】
このような構造にあっては、足場部材の足場支柱１２０に対する取付け、取り外しが繰り返されると、前記付勢部材１０２に切欠部１０６の段差１０７が前記付勢部材１０２に直接当たることが繰り返されることによって、付勢部材１０２が変形する問題がある。すなわち、クサビ１００のロック及びアンロックは、クサビ１００に対してハンマー等による打ち込み操作により行われており、特に、ロック状態からアンロック状態にするため、上動するクサビの前記段差１０７による前記付勢部材１０２に対する衝撃は大きく、変形が促進されて、付勢力が損なわれ、最後はクサビ１００が抜け落ちる問題がある。
【００１２】
本発明の目的は、上記課題を解決して、足場部材の足場支柱に対する取付け、取り外しが繰り返された場合であっても、付勢部材の変形を抑制する足場部材及び足場部材の連結構造を提供することにある。
【課題を解決するための手段】
【００１３】
上記問題点を解決するために、本発明の足場部材は、横架材の端部に楔部を備え、前記楔部は、上下方向に形成された挿通部を有する楔部本体と、前記挿通部に挿入されて下動した際に前記楔部本体が内嵌した外部部材及び前記楔部本体の両者に対してともに当接係止するロック状態となり、ロック状態から上動した際に、前記楔部本体をアンロック状態とする抜け止め体とを備える足場部材であって、前記抜け止め体は、前記横架材の端部の相対部位には段差部を有していて、前記段差部と前記横架材の端部間には、前記抜け止め体を前記挿通部の前記横架材側面へ常時付勢するバネ部材が配置されるとともに、前記バネ部材を前記端部に支持するバネ支持部材が配置され、前記バネ支持部材は、前記抜け止め体に摺接するとともに前記抜け止め体のロック状態からアンロック状態への遷移時に、前記段差部の段差に当接する摺接部を有するものである。
【００１４】
また、前記バネ支持部材は、前記横架材の端面に形成された支持部に対して、揺動自在に貫通されたバネ支持杆であり、前記バネ支持杆の頭部に前記摺接部が形成されていてもよい。
【００１５】
また、前記バネ部材は前記バネ支持杆に巻装されたコイルバネ、円錐バネ、板バネ、または皿バネとしてもよい。
また、前記抜け止め体は、その上下の部位に前記楔部本体の前記挿通部の反横架材側の面に対して、ロック状態のときに当接する第１当接部及び第３当接部を備え、横架材側の中間部位に前記外部部材に当接する第２当接部を備えることが好ましい。
【００１６】
本発明の足場部材の連結構造は、横架材の端部に楔部を備え、前記楔部は、上下方向に形成された挿通部を有する楔部本体と、前記挿通部に挿入されて下動した際に前記楔部本体が内嵌した外部部材及び前記楔部本体の両者に対してともに当接係止するロック状態となり、ロック状態から上動した際に、前記楔部本体をアンロック状態とする抜け止め体とを備える足場部材と、前記足場部材が、外周面に前記外部部材としての横断面コ字状のブラケット体が設けられた足場支柱に連結されている足場部材の連結構造であって、前記抜け止め体は、前記横架材の端部の相対部位には段差部を有していて、前記段差部と前記横架材の端部間には、前記抜け止め体を前記挿通部の前記横架材側面へ常時付勢するバネ部材が配置されるとともに、前記バネ部材を前記端部に支持するバネ支持部材が配置され、前記バネ支持部材は、前記抜け止め体に摺接するとともに前記抜け止め体のロック状態からアンロック状態への遷移時に、前記段差部の段差に当接する摺接部を有するものである。
【発明の効果】
【００１７】
本発明によれば、足場部材の足場支柱に対する取付取り外しが繰り返された場合であっても、付勢部材の変形を抑制できる効果を奏する。
【図面の簡単な説明】
【００１８】
【図１】一実施形態の足場部材の全体斜視図。
【図２】（ａ）はロック状態の足場部材の部分斜視図、（ｂ）はアンロック状態の足場部材の部分斜視図。
【図３】（ａ）はロック状態の足場部材の部分斜視図、（ｂ）はアンロック状態の足場部材の部分斜視図。
【図４】（ａ）はアンロック状態の足場部材の連結構造の部分断面図、（ｂ）はロック状態の足場部材の連結構造の部分断面図。
【図５】足場部材の楔部の断面図。
【図６】（ａ）は他の実施形態のアンロック状態の足場部材の連結構造の部分断面図、（ｂ）は他の実施形態のロック状態の足場部材の連結構造の部分断面図。
【図７】従来例のアンロック状態の足場部材の連結構造の部分断面図。
【図８】従来例のロック状態の足場部材の連結構造の部分断面図。
【発明を実施するための形態】
【００１９】
（実施形態）
以下、本発明を具体化した実施形態の足場部材及び足場部材の連結構造を図１〜図５を参照して説明する。
【００２０】
図１に示すように、本実施形態の足場部材１０は、管材からなる横架材１２の両端部に楔部２０Ａ、２０Ｂを備えている。楔部２０Ｂを構成する各部材は、楔部２０Ａを構成する各部材に対して横架材１２の軸方向において、１８０度反対に形成されていることが異なるだけである。このため、楔部２０Ｂを構成する各部材については、楔部２０Ａを構成する各部材に付する符号を付してその詳細な説明を省略する。以下、楔部２０Ａについて説明する。
【００２１】
楔部２０Ａは、楔部本体２２と楔部本体２２の挿通部２６に挿入される抜け止め体２４とを備えている。
図１、図２（ａ）、図２（ｂ）、及び図５に示すように、楔部本体２２は、横架材１２の端部側に配置にされている。楔部本体２２は、横架材１２の軸方向に交差する上下方向に延びていると共に下端に向かって幅が減少しているテーパ状の一対の楔側面部２８と、横架材１２に固着されている側とは反対側で一対の楔側面部２８を連結している楔中間面部３０を有する。また、図４（ａ）、図４（ｂ）及び図５に示すように、楔部本体２２は、一対の楔側面部２８の下端間を連結して、楔部本体２２の下端を閉端としている閉端部３２を備えている。
【００２２】
挿通部２６は、一対の楔側面部２８、楔中間面部３０により形成されていることにより溝を有していて、下端が閉端部３２にて閉塞されている。また、挿通部２６の上端において、横架材１２側は、横架材１２の端部側に配置された後述する支持部としての支持部材３４が配置されている。
【００２３】
挿通部２６において、支持部材３４が配置されていない一対の楔側面部２８の部位は、１２側において外部空間に連通して開放された開端３６となっている。本実施形態では、開端３６の開放領域は、上は支持部材３４の下端から、下は閉端部３２まで開放されている。なお、開端３６の開放領域は、後述する抜け止め体２４の下端部６０がロック状態において、外部に露出できるものであれば上記範囲に限定するものではない。すなわち、抜け止め体２４の下端部６０がロック状態において外部に露出できるように少なくとも前記閉端部近傍が開放されていればよい。また、挿通部２６の上端は、楔中間面部３０及び一対の楔側面部２８の上辺を周縁とし、かつ、支持部材３４の上部の周縁とする開口部３８を有している。
【００２４】
抜け止め体２４は、略平板状を成していて上下方向に延出されており、その上端には、開口部３８を通過不能にフランジ状に形成された突起部４０を有している。図２（ａ）、図４（ａ）及び図４（ｂ）に示すように、抜け止め体２４において、楔中間面部３０に対面する外側面２４ａの上部側は膨出されて上端部５６よりも突出した第１当接部４２が形成されている。また、抜け止め体２４において、外側面２４ａと反対側の内側面２４ｂにおいて、下端より上方の部位で突出する第２当接部４４が形成されている。また、図４（ｂ）に示すように、抜け止め体２４は、突起部４０から下端までの上下方向の長さが、開口部３８の周縁から閉端部３２の先端までの長さより長く形成されている。
【００２５】
横架材１２は、円筒状の横架材本体４６と、横架材本体４６の端部に内嵌して固定された連結筒部４８と、前記連結筒部４８の先端の上下縁部間に連結された前記支持部材３４と、支持部材３４に取り付けられたバネ支持部材としてのバネ支持杆５０、及びバネ支持杆５０に取り付けられたバネ部材５２を備えている。バネ部材５２は、本実施形態では、コイルバルで構成されている。
【００２６】
図４（ａ）、図４（ｂ）及び図５に示すように、支持部材３４は、板材からなり、上端及び下端が連結筒部４８の端面の上下のそれぞれの部位に固定されるとともに、中間部は、連結筒部４８内に入るように凹状に形成されていて、内底壁に貫通孔５４が透設されている。貫通孔５４には、バネ支持杆５０の杆部５０ａが揺動自在に挿入されている。杆部５０ａの抜け止め体２４側の端部、すなわち頭部には、フランジ状の摺接部５０ｂが形成されている。バネ支持杆５０において、バネ支持杆５０と支持部材３４の内底壁間には、バネ部材５２が巻装されている。バネ部材５２は、一端が摺接部５０ｂに係止されるとともに他端が前記内底壁に係止されている。この結果、バネ部材５２の付勢力により、バネ支持杆５０は、抜け止め体２４に対して摺接部５０ｂが常時当接し、抜け止め体２４が上下動する際に摺接するようにされている。
【００２７】
楔部本体２２は、楔側面部２８の上端側が、横架材１２の連結筒部４８に固着されている。楔側面部２８は、連結筒部４８に固着されている部分で、円筒状の連結筒部４８の外周面に沿うように湾曲している。楔側面部２８は、前述した湾曲した部分よりも下端側で、下端に向かって幅が減少するテーパ状となっており、この部分が後述するブラケット８２内に挿入可能となっている。図４（ａ）及び図４（ｂ）に示すように、楔側面部２８の一対の側辺のうち、楔中間面部３０側の側辺は横架材１２の軸方向に直交する方向に延びており、もう一方の側辺は下方に向かうにつれて他方の側辺に近づくように傾斜している。これにより、楔側面部２８がテーパ状となっている。
【００２８】
また、楔側面部２８の上辺は開端であり、これを周縁とする開口部３８が一対の楔側面部２８間に形成されている。楔中間面部３０は、円筒状または円柱状の足場支柱８０の外周面に沿うように湾曲して形成されている。図４（ａ）に示すように、閉端部３２は、一対の楔側面部２８の下端同士を湾曲しつつ連結している。
【００２９】
図４（ａ）、及び図４（ｂ）に示すように、抜け止め体２４は、上端から下端に向かって順に上端部５６、主軸部５８、及び下端部６０に区分される。上端部５６には前記突起部４０を備えている。主軸部５８は上端部５６に対して楔中間面部３０に向かって屈曲して第１当接部４２を形成した後、下端部６０に至るまで直線状に延びている。下端部６０は、主軸部５８に対して楔中間面部３０とは反対側に向かって略Ｌ字状に湾曲している。そして、主軸部５８の屈曲している部分において外側面２４ａ側の角部が、第３当接部６２を構成している。また、第２当接部４４は、主軸部５８の内側面２４ｂにおける、下端部６０から上方において、主軸部５８の長さの約１／３に相当する長さ分が、縦断面山形に突出されている。第２当接部４４は、抜け止め体２４の横架材側の中間部位に設けられたものに相当する。
【００３０】
また、主軸部５８の内側面２４ｂにおいて、第１当接部４２よりも下方の部位は、平面状の段差面を有する段差部６４が切り欠き形成されている。段差部６４の下端には段差６６が形成されている。段差６６は、段差部６４の段差面に対して直角に形成されていても、或いはテーパー状に形成されていても、どちらでもよい。
【００３１】
図４（ａ）、図４（ｂ）及び図５に示すように、バネ支持杆５０の摺接部５０ｂは、バネ部材５２に付勢力により、段差部６４の段差面に当接、及び摺接するとともに、図４（ｂ）の楔部２０Ａのロック状態から、図４（ａ）のアンロック状態へ遷移する際の抜け止め体２４の上動時に、段差６６に当接可能となっている。
【００３２】
図３（ａ）、図３（ｂ）、図４（ａ）及び図４（ｂ）に示すように、上記足場部材１０は、ブラケット８２を有する足場支柱８０に連結される。足場支柱８０は円筒状または円柱状であり、複数のブラケット８２が外周面に設けられている。それぞれのブラケット８２は、足場支柱８０の外周面に固着された一対の側面８４と、一対の側面８４を連結する中間面８６によって、横断面コ字形に形成されている。
【００３３】
（実施形態の作用）
図２（ｂ）に示すようにブラケット８２に対して楔部２０Ａを挿入して嵌合する際には、まず抜け止め体２４の上端側を把持して上方に引き上げ、抜け止め体２４の下端側が楔部本体２２の挿通部２６内に引き入れられた状態とする。
【００３４】
この状態で楔部本体２２をブラケット８２に挿入することにより、横架材１２が足場支柱８０に連結される。
図４（ａ）に示すように楔部本体２２の楔側面部２８は、下端に向かって幅が減少するテーパ状であるため、楔側面部２８における楔中間面部３０とは反対側の側辺がブラケット８２の上端縁と干渉し、楔部本体２２がブラケット８２内にしっかりと保持される。これとともに、閉端部３２及びその近傍がブラケット８２より下方に露出する。
【００３５】
また、この状態では、楔部本体２２の楔中間面部３０が足場支柱８０の外周面に当接する。特に、本実施形態では、楔中間面部３０が足場支柱８０の外周面に沿うように湾曲しているため、楔中間面部３０が足場支柱８０の外周面に広い面積で当接し、楔部本体２２がブラケット８２に保持された姿勢が安定する。ただし、この状態では、横架材１２に対して下方から上方に向かう外力が加わる等、楔部本体２２に対して上方に向かう外力が加わると、楔部本体２２がブラケット８２から抜け出るおそれがある。
【００３６】
そこで、バネ部材５２の付勢力に抗して抜け止め体２４を楔部本体２２の挿通部２６に落とし込むと、図４（ｂ）に示すように、抜け止め体２４が楔部本体２２のブラケット８２からの抜け止めとして作用している状態になる。
【００３７】
すなわち、下方に落とし込まれた抜け止め体２４の下端側は、バネ部材５２の付勢力に抗してブラケット８２の内部空間を通過し、下端が楔部本体２２の閉端部３２にぶつかる。このとき、抜け止め体２４は、突起部４０より下側の部分の長さは開口部３８の周縁から閉端部３２までの長さより長くしているため、閉端部３２によってそれ以上の直下への移動が制限されるとともに、図４（ｂ）に示すようにその分下端部６０が閉端部３２の内面に案内されて、開端３６から外方に向かって斜めに延び出す。
【００３８】
その結果、抜け止め体２４は楔部本体２２を斜めに貫通し、抜け止め体２４の下端側が閉端部３２の開端縁に当接した状態となる。
図４（ｂ）に示すように、そして、抜け止め体２４の外側面２４ａにおいて第１当接部４２が上端部５６より突出しているため、第１当接部４２が楔中間面部３０の内周壁のどこかで当接する。ここで、楔中間面部３０の内周壁の面は、挿通部２６における横架材側面に相当する。
【００３９】
また、抜け止め体２４の内側面２４ｂにおいて第２当接部４４が下端より上方で突出しているため、第２当接部４４がブラケット８２の中間面８６の内周壁にどこかで当接する。また、第３当接部６２は、閉端部３２の開端縁に対して当接して係止される。ここで、ブラケット８２の中間面８６の内周壁は外部部材に相当する。また、閉端部３２の内面は、横架材側面に相当する。
【００４０】
また、この抜け止め体２４が楔部本体２２及びブラケット８２と三カ所で当接した状態は、バネ部材５２により抜け止め体２４が、楔中間面部３０側へ付勢されていることにより、保持される。これにより、抜け止め体２４が楔部本体２２及びブラケット８２と三カ所で当接している連結構造を、確実に構築することができる。
【００４１】
すなわち、楔部本体２２がブラケット８２に挿入されて、抜け止め体２４が楔部本体２２の挿通部２６を貫通して下端側が閉端部３２の近傍の開端３６から外方に向かって斜めに延び出している。この状態では、抜け止め体２４において、外側面２４ａの第３当接部６２が楔部本体２２の閉端部３２の開端縁に当接し、第１当接部４２が楔部本体２２の楔中間面部３０に当接し、且つ、第２当接部４４がブラケット８２の内周面に当接している連結構造が構築される。
【００４２】
上記連結構造では、楔部本体２２を斜め方向に貫通している抜け止め体２４は、外側面２４ａの下端近傍で楔部本体２２の閉端部３２の開端縁に当接しており、外側面２４ａにおける第１当接部４２が楔部本体２２の楔中間面部３０に当接している。これとともに、内側面２４ｂにおける第２当接部４４がブラケット８２の中間面８６の内周面に当接している。すなわち、抜け止め体２４は、外側面２４ａにおける上下の二カ所と、外側面２４ａとは反対側の内側面２４ｂにおける中途の高さの一カ所との計三カ所で、楔部本体２２及びブラケット８２の内周面に当接したロック状態となる。これにより、抜け止め体２４が楔部本体２２を斜め方向に貫通し、ブラケット８２からの楔部本体２２の抜け止めとして作用している姿勢が、がたつくことなく安定して保持される。
【００４３】
上記のロック状態からアンロック状態にする場合、図４（ｂ）に示すように開端３６から外方に向かって斜めに延び出している抜け止め体２４の下端部６０を上方へ、すなわち、挿通部２６内へ押し込む。通常、この押し込みは作業者がハンマー等による打ち込みにより、行われる。この押し込みにより、第１当接部４２と楔中間面部３０の内周壁の当接による拘束、第２当接部４４とブラケット８２の中間面８６の内周面の当接による拘束、及び第３当接部６２の楔部本体２２の閉端部３２の開端縁に当接による抜け止め体２４の拘束が解除される。この拘束が解除された抜け止め体２４は上動する。
【００４４】
この上動時に、バネ支持杆５０の摺接部５０ｂは、バネ部材５２の付勢により、段差部６４に対して相対的に摺接する。そして、抜け止め体２４の上動は、摺接部５０ｂが段差部６４の段差６６に衝接により、停止される。
【００４５】
上記のように上動する抜け止め体２４は、摺接部５０ｂに対して、段差６６が当接して係止されるが、バネ部材５２に対しては、直接の衝撃が加わることはない。このため、足場部材１０の、足場支柱８０に対する取付け取り外しが繰り返された場合であって、ロック状態からアンロック状態の遷移時の際、上動する抜け止め体２４の前記段差６６によるバネ部材５２に対する直接の衝撃を回避でき、バネ部材５２の変形が抑制できる。なお、バネ部材５２に対する変形が進むと、バネ部材５２の付勢力が損なわれ、最後は抜け止め体２４が抜け落ちる原因となる。
【００４６】
本実施形態では、下記の特徴を有する。
（１）本実施形態の足場部材１０及び足場部材の連結構造では、足場部材１０が、横架材１２の両端部に楔部２０Ａ、２０Ｂを備えている。楔部２０Ａ、２０Ｂは、上下方向に形成された挿通部２６を有する楔部本体２２と挿通部２６に挿入される抜け止め体２４とを備えている。楔部本体２２に設けられた挿通部２６は、下端に閉端部３２が形成されるとともに、横架材１２側が開放されている。また、抜け止め体２４は、アンロック状態から下動したロック状態では、挿通部２６の横架材側面、すなわち、第１当接部４２が楔中間面部３０の内周壁の面と閉端部３２とに接拘束される反横架材側の上下の第１当接部４２、第３当接部６２とを有する。また、抜け止め体２４は、ロック状態において、開端３６から突出配置されて、楔部本体２２が嵌合されるブラケット８２の中間面８６に当接拘束される第２当接部４４とを有する。
【００４７】
そして、抜け止め体２４の第１当接部４２及び第３当接部６２は、ロック状態から上動したアンロック状態では、拘束が解除可能に配置されている。また、抜け止め体２４の上部において、横架材１２の端部の相対部位には段差部６４を有していて、段差部６４と横架材１２の端部間には、抜け止め体２４を挿通部２６の横架材側面へ常時付勢するバネ部材５２が配置されている。また、バネ部材５２を、足場部材１０の端部に支持するバネ支持部材としてのバネ支持杆５０が配置されている。バネ支持杆５０は、抜け止め体２４に摺接するとともに抜け止め体２４のロック状態からアンロック状態への遷移時に、段差部６４の段差６６に当接する摺接部５０ｂを有している。
【００４８】
この結果、足場部材の足場支柱に対する取付け取り外しが繰り返された場合であっても、付勢部材の変形を抑制できる。
（２）また、バネ支持杆５０は、横架材１２の端面に形成された支持部としての支持部材３４に対して、揺動自在に貫通されている。そして、バネ支持杆５０の頭部に摺接部５０ｂが形成されている。この結果、本実施形態によれば、バネ支持杆５０が揺動自在に支持されているため、抜け止め体２４が上動して、段差６６が摺接部５０ｂに衝突した際、バネ支持杆５０が揺動することにより、そのときの衝撃を抑制することができる。
【００４９】
（３）本実施形態では、バネ部材はバネ支持杆５０に巻装されたコイルバネとしている。この結果、コイルバネの変形を抑制できる。
（第２実施形態）
次に、第２実施形態を図６（ａ）及び図６（ｂ）を参照して説明する。なお、本実施形態では、前記実施形態の構成中、支持部材３４の構成、並びに、バネ部材５２の構成が異なるだけであるため、前記実施形態と相違する構成について説明し、同一または、相当する構成については、同一符号を付してその詳細な説明を省略する。
【００５０】
図６（ａ）、図６（ｂ）に示すように、本実施形態では、支持部材３４は、略平板状をなして、連結筒部４８の端面に固定されている。そして、前記実施形態では、バネ部材５２は、円錐バネとされている。そして、図６（ａ）、図６（ｂ）に示すように、円錐バネの小径側の端部が、摺接部５０ｂに係止され、大径側の端部が支持部材３４に係止されている。このような構成でも、第１実施形態と同様の効果を奏することができる。
【００５１】
本実施形態は、以下のように変更して実施することができる。
本実施形態及び以下の変更例は、技術的に矛盾しない範囲で互いに組み合わせて実施することができる。
【００５２】
・前記実施形態では、足場部材１０は、横架材１２の両端部に楔部２０Ａ、２０Ｂを備えていたが、楔部２０Ａ、２０Ｂのうち、いずれか一方の楔部を省略してもよい。
・前記実施形態では、突起部４０は、上端部５６と一体に形成されているが、突起部４０は、上端部５６と別体に形成して、上端部５６に対してネジ止め、圧入、或いは溶接等により固定するようにしてもよい。
【００５３】
・前記実施形態では、バネ部材５２は、コイルバネまたは円錐バネとしたが、これらに限定するものではなく、皿バネ、板バネ等をバネ支持杆５０に貫通配置してもよい。
【符号の説明】
【００５４】
１０…足場部材、１２…横架材、
２０Ａ、２０Ｂ…楔部、２２…楔部本体、２４…抜け止め体、
２４ａ…外側面、２４ｂ…内側面、２６…挿通部、２８…楔側面部、
３０…楔中間面部、３２…閉端部、３４…支持部材
３６…開端、３８…開口部、４０…突起部、４２…第１当接部、
４４…第２当接部、４６…横架材本体、４８…連結筒部、５０…バネ支持杆、
５０ａ…杆部、５０ｂ…摺接部、５２…バネ部材、５４…貫通孔、
５６…上端部、５８…主軸部、６０…下端部、６２…第３当接部、
６４…段差部、６６…段差、８０…足場支柱、８２…ブラケット、
８４…側面、８６…中間面。
【図１】
0006889936.tif 000002
【図２】
0006889936.tif 000003
【図３】
0006889936.tif 000004
【図４】
0006889936.tif 000005
【図５】
0006889936.tif 000006
【図６】
0006889936.tif 000007
【図７】
0006889936.tif 000008
【図８】
0006889936.tif 000009